【手続補正書】
【提出日】平成24年10月15日(2012.10.15)
【手続補正１】
【補正対象書類名】明細書
【補正対象項目名】００２３
【補正方法】変更
【補正の内容】
【００２３】
残差信号５０１における符号５０２，５０３，５０４，５０５は、原信号と同一位置０，１，２，３における残差信号の信号値ｒ０，ｒ１，ｒ２，ｒ３であり、それぞれ図４の符号４１２，４１３，４１４，４１５で示す残差信号と同一である。符号５０６で示すレベルは、残差信号５０２，５０３，５０４，５０５のＤＣ値であり、図４の符号４１６で示すレベルと同一である。
【手続補正２】
【補正対象書類名】明細書
【補正対象項目名】００３４
【補正方法】変更
【補正の内容】
【００３４】
面内予測部３０１は、符号化対象ブロックの原信号を取得し、また、復号フレームバッファ３１５から面内予測の予測参照信号を取得する。面内予測部３０１は、最適な面内予測モードを決定し、符号化対象ブロックの面内予測信号を第一の予測値として生成する。
【手続補正３】
【補正対象書類名】明細書
【補正対象項目名】００５７
【補正方法】変更
【補正の内容】
【００５７】
逆量子化部３１２及び逆直交変換部３１３は、直交変換係数分離部３１１から残差成分量子化直交変換係数または残差ＡＣ成分量子化直交変換係数を取得し、残差成分量子化直交変換係数または残差ＡＣ成分量子化直交変換係数に対し、所定の逆量子化・逆直交変換を行い、復号残差成分を算出する。逆直交変換部３１３は、復号残差成分を加算部３１４へ伝送する。
【手続補正４】
【補正対象書類名】明細書
【補正対象項目名】００６７
【補正方法】変更
【補正の内容】
【００６７】
ステップＳ６０５の残差近似信号作成処理において、残差近似信号作成部３０６が、決定された面内予測モードのもと、復号残差ＤＣ値から残差近似信号を作成する。例えば符号化対象ブロックの中心位置で復号残差ＤＣ値を通る線形近似平面を、残差信号のサンプル点を用いた最小二乗法によって求め、この平面で残差信号を近似する。そして、ステップＳ６０６へ進む。
【手続補正５】
【補正対象書類名】明細書
【補正対象項目名】００７４
【補正方法】変更
【補正の内容】
【００７４】
ステップＳ６１２の最終残差ＡＣ成分の復号処理において、逆量子化部１１２及び逆直交変換部３１３は、残差ＡＣ成分量子化直交変換係数に対し、逆量子化・逆直交変換を行い、復号残差ＡＣ成分を算出し、ステップＳ６１３へ進む。
【手続補正６】
【補正対象書類名】明細書
【補正対象項目名】００７７
【補正方法】変更
【補正の内容】
【００７７】
ステップＳ６１４において、減算部３０７が、予測残差から残差近似信号を減ずることにより、最終残差成分を算出する。または、残差近似信号が０であるため、予測残差をそのまま最終残差成分としても等価である。そして、直交変換部３０８及び量子化部３０９が、最終残差成分に対し、直交変換・量子化処理を行い、最終残差成分の量子化直交変換係数を算出する。そして、ステップＳ６１５へ進む。
【手続補正７】
【補正対象書類名】明細書
【補正対象項目名】００７８
【補正方法】変更
【補正の内容】
【００７８】
ステップＳ６１５の符号化情報の可変長符号化処理において、直交変換係数統合部３１０は、残差近似有効性フラグが明示的無効を示す０または暗示的無効を示す２であることから、最終残差成分の量子化直交変換係数をそのまま統合残差成分量子化直交変換係数として出力する。可変長符号化部３１６は、面内予測モードの情報、残差近似有効性フラグ、および統合残差成分量子化直交変換係数に対して、可変長符号化処理を行い、符号化系列を生成する。本ステップを通るのは残差近似有効性フラグが明示的無効を示す０または暗示的無効を示す２のときのみであり、可変長符号化部３１６は、残差近似有効性フラグが暗示的無効を示す２である場合は、残差近似有効性フラグの符号化を行わず、暗示的無効でない場合、すなわち明示的無効を示す０である場合は、残差近似有効性フラグの可変長符号化を行い、符号化系列を作成する。そして、ステップＳ６１６へ進む。
【手続補正８】
【補正対象書類名】明細書
【補正対象項目名】００７９
【補正方法】変更
【補正の内容】
【００７９】
ステップＳ６１６の面内予測残差成分の復号処理において、直交変換係数分離部３１１は、残差近似有効性フラグが明示的無効を示す０または暗示的無効を示す２であるため、統合残差成分量子化直交変換係数をそのまま残差成分量子化直交変換係数として出力する。逆量子化部１１２及び逆直交変換部３１３は、残差成分量子化直交変換係数に対し、逆量子化・逆直交変換を行い、復号残差成分を算出する。そして、ステップＳ６１７へ進む。
【手続補正９】
【補正対象書類名】明細書
【補正対象項目名】００８２
【補正方法】変更
【補正の内容】
【００８２】
図７は、実施の形態に係る画像復号装置の構成図である。画像復号装置は、入力ビット系列の構文を解析し、可変長復号する可変長復号部７０１、復号対象ブロックの面内予測信号を作成する面内予測部７０２、直交変換係数の直流成分と交流成分を分離する直交変換係数分離部７０３、量子化した予測残差の直流成分を復号するＤＣ値逆量子化部７０４、予測残差の線形近似信号を作成する残差近似信号作成部７０５、残差成分の復号処理を行う逆量子化部７０６及び逆直交変換部７０７、復号信号を算出する加算部７０８、復号信号を格納する復号フレームバッファ７０９、及び、残差近似信号の有効性に基づき処理の流れを切り替えるためのスイッチ７１０、７１１を含む。
【手続補正１０】
【補正対象書類名】明細書
【補正対象項目名】００８７
【補正方法】変更
【補正の内容】
【００８７】
面内予測部７０２は、可変長復号部７０１から面内予測モードを取得し、復号フレームバッファ７０９から面内予測の予測参照信号を取得する。面内予測部７０２は、面内予測モードのもとで、予測参照信号を利用して所定の面内予測処理を行い、面内予測信号を作成する。面内予測処理手順は、従来と同様である。面内予測部７０２は、作成した面内予測信号を加算部７０８へ伝送する。
【手続補正１１】
【補正対象書類名】明細書
【補正対象項目名】００９２
【補正方法】変更
【補正の内容】
【００９２】
加算部７０８は、面内予測部７０２から面内予測信号を取得し、逆直交変換部７０７から復号残差信号を取得し、スイッチ７１１から残差近似信号を取得する。加算部７０８は、
面内予測信号、復号残差信号、および残差近似信号を足し合わせることにより、復号信号を作成し、作成した復号信号を復号フレームバッファ７０９へ伝送する。
【手続補正１２】
【補正対象書類名】明細書
【補正対象項目名】００９８
【補正方法】変更
【補正の内容】
【００９８】
ステップＳ８０２の面内予測信号生成処理において、面内予測部７０２が、可変長復号部７０１から取得した面内予測モードのもとで、復号フレームバッファ７０９に格納された面内予測の予測参照信号を利用して、面内予測信号を作成し、ステップＳ８０３へ進む。
【手続補正１３】
【補正対象書類名】明細書
【補正対象項目名】０１０７
【補正方法】変更
【補正の内容】
【０１０７】
ステップＳ８０９に入るときは、残差近似有効性が有効となる場合であり、スイッチ７１１は、残差近似信号作成部７０５と加算部７０８を接続するように設定されている。ステップＳ８０９の復号信号作成処理において、加算部７０８は、面内予測信号、復号残差信号、および残差近似信号を足し合わせることにより、復号信号を作成し、復号フレームバッファ７０９に格納する。これで残差近似が明示的に有効である場合の復号対象ブロックの復号を完了し、次のブロックの復号を開始する。
【手続補正１４】
【補正対象書類名】明細書
【補正対象項目名】０１１０
【補正方法】変更
【補正の内容】
【０１１０】
ステップＳ８１２に入るときは、残差近似が無効となる場合であり、スイッチ７１１は、残差近似信号作成部７０５と加算部７０８を接続しないように設定されている。ステップＳ８１２の復号信号作成処理において、加算部７０８は、面内予測信号と復号残差信号を足し合わせることにより、復号信号を作成し、作成した復号信号を復号フレームバッファ７０９に格納する。これで残差近似が暗示的に無効または明示的に無効である場合の復号対象ブロックの復号を完了し、次のブロックの復号を開始する。